(57)【要約】【課題】信号書き込みを２回に分けて行う際に、低階調の画質を向上させることの可能な表示装置およびその駆動方法ならびに電子機器を提供する。【解決手段】階調補完書き込みを行ったのち、ブートストラップ動作が始まったら、ブートストラップ動作が直ちに停止され、移動度補正が開始される（Ｔ6〜Ｔ8）。移動度補正が終了したのち、ブートストラップ動作が始まったら、ブートストラップ動作が直ちに停止され、信号電圧の書込みが行われる（Ｔ9〜Ｔ11）。このように、２回目の信号書込みを行う前に、移動度補正を行うようにすることにより、２回目の信号電圧Ｖsig2の値とは無関係に、移動度補正を行う。【選択図】図３
2011022342.tif 000002
【特許請求の範囲】
【請求項１】
行状に配置された複数の走査線と、列状に配置された複数の信号線と、各走査線と各信号線との交差部に対応して行列状に配置された複数の発光素子および複数の画素回路とを含む画素回路アレイ部と、
前記複数の走査線に選択パルスを順次印加して、前記複数の発光素子および前記複数の画素回路を順次選択する走査線駆動回路と、
映像信号に対応する階調補完電圧と、固定値の移動度補正電圧と、映像信号に対応する信号電圧とをこの順に各信号線に印加して、選択対象の画素回路への書き込みを行う信号線駆動回路と
を備え、
前記走査線駆動回路は、前記信号線駆動回路が前記複数の信号線に前記移動度補正電圧を印加している期間内に、一の走査線に選択パルスを印加する
表示装置。
【請求項２】
行状に配置された複数の走査線と、列状に配置された複数の信号線と、各走査線と各信号線との交差部に対応して行列状に配置された複数の発光素子および複数の画素回路とを含む画素回路アレイ部と、
前記複数の走査線に選択パルスを順次印加して、前記複数の発光素子および前記複数の画素回路を順次選択する走査線駆動回路と、
映像信号に対応する階調補完電圧と、固定値の移動度補正電圧と、映像信号に対応する信号電圧とをこの順に各信号線に印加して、選択対象の画素回路への書き込みを行う信号線駆動回路と
を備えた表示装置を用意するステップと、
前記走査線駆動回路を用いて、前記信号線駆動回路が前記複数の信号線に前記移動度補正電圧を印加している期間内に、一の走査線に選択パルスを印加するステップと
を含む表示装置の駆動方法。
【請求項３】
表示装置を備え、
前記表示装置は、
行状に配置された複数の走査線と、列状に配置された複数の信号線と、各走査線と各信号線との交差部に対応して行列状に配置された複数の発光素子および複数の画素回路とを含む画素回路アレイ部と、
前記複数の走査線に選択パルスを順次印加して、前記複数の発光素子および前記複数の画素回路を順次選択する走査線駆動回路と、
映像信号に対応する階調補完電圧と、固定値の移動度補正電圧と、映像信号に対応する信号電圧とをこの順に各信号線に印加して、選択対象の画素回路への書き込みを行う信号線駆動回路と
を備え、
前記走査線駆動回路は、前記信号線駆動回路が前記複数の信号線に前記移動度補正電圧を印加している期間内に、一の走査線に選択パルスを印加する
電子機器。
【発明の詳細な説明】
【技術分野】
【０００１】
本発明は、画素ごとに配置した発光素子で画像を表示する表示装置およびその駆動方法に関する。また、本発明は、上記表示装置を備えた電子機器に関する。
【背景技術】
【０００２】
近年、画像表示を行う表示装置の分野では、画素の発光素子として、流れる電流値に応じて発光輝度が変化する電流駆動型の光学素子、例えば有機ＥＬ(electro luminescence)素子を用いた表示装置が開発され、商品化が進められている。
【０００３】
有機ＥＬ素子は、液晶素子などと異なり自発光素子である。そのため、有機ＥＬ素子を用いた表示装置（有機ＥＬ表示装置）では、光源（バックライト）が必要ないので、光源を必要とする液晶表示装置と比べて画像の視認性が高く、消費電力が低く、かつ素子の応答速度が速い。
【０００４】
有機ＥＬ表示装置では、液晶表示装置と同様、その駆動方式として単純（パッシブ）マトリクス方式とアクティブマトリクス方式とがある。前者は、構造が単純であるものの、大型かつ高精細の表示装置の実現が難しいなどの問題がある。そのため、現在では、アクティブマトリクス方式の開発が盛んに行なわれている。この方式は、画素ごとに配した発光素子に流れる電流を、発光素子ごとに設けた駆動回路内の能動素子（一般にはＴＦＴ(Thin Film Transistor;薄膜トランジスタ)）によって制御するものである。
【０００５】
ところで、一般的に、有機ＥＬ素子の電流−電圧（Ｉ−Ｖ）特性は、時間の経過に従って劣化（経時劣化）する。有機ＥＬ素子を電流駆動する画素回路では、有機ＥＬ素子のＩ−Ｖ特性が経時変化すると、駆動トランジスタに流れる電流値が変化するので、有機ＥＬ素子に流れる電流値も変化し、その電流値に応じて発光輝度も変化する。
【０００６】
また、駆動トランジスタの閾値電圧Ｖthや移動度μが経時的に変化したり、製造プロセスのばらつきによって閾値電圧Ｖthや移動度μが画素回路ごとに異なったりする場合がある。駆動トランジスタの閾値電圧Ｖthや移動度μが画素回路ごとに異なる場合には、駆動トランジスタに流れる電流値が画素回路ごとにばらつくので、駆動トランジスタのゲートに同じ電圧を印加しても、有機ＥＬ素子の発光輝度がばらつき、画面の一様性（ユニフォーミティ）が損なわれる。
【０００７】
そこで、有機ＥＬ素子の発光輝度を一定に保つようにするために、有機ＥＬ素子のＩ−Ｖ特性の変動に対する補償機能および駆動トランジスタの閾値電圧Ｖthや移動度μの変動に対する補正機能を組み込んだ表示装置が開発されている（例えば、特許文献１〜４参照）。これら特許文献１〜４には、μ補正と信号書き込みとを同時に行ったり、信号書き込みを行いながらその最後の期間に信号書き込みと並行してμ補正を行ったりすることが記載されている。
【先行技術文献】
【特許文献】
【０００８】
【特許文献１】特開２００７−１７１８２７号公報
【特許文献２】特開２００７−１０８３８１号公報
【特許文献３】特開２００７−１３３２８３号公報
【特許文献４】特開２００７−１３３２８４号公報
【発明の概要】
【発明が解決しようとする課題】
【０００９】
上記特許文献１〜４に記載の駆動方法を応用して、閾値補正を行った後に、信号書き込みを２回に分けて行うことで映像階調を増大させる方法が過去に提案されている。しかし、この方法では、１回目の信号書き込みがなされた後、２回目の信号書き込みがなされるまでの間、ブートストラップが生じてしまう。そのため、１回目の信号電圧値を大きくすることができず、１回目の信号書込みの際に移動度補正を十分に行うことができない。従って、２回目の信号電圧値が小さい場合には、２回目の信号書込みの際にも移動度補正を十分に行うことができないので、低階調の画質が低下してしまうという問題があった。
【００１０】
本発明はかかる問題点に鑑みてなされたもので、その目的は、信号書き込みを２回に分けて行う際に、低階調の画質を向上させることの可能な表示装置およびその駆動方法ならびに電子機器を提供することにある。
【課題を解決するための手段】
【００１１】
本発明の表示装置は、画素回路アレイ部と、走査線駆動回路と、信号線駆動回路とを備えたものである。画素回路アレイ部は、行状に配置された複数の走査線と、列状に配置された複数の信号線と、各走査線と各信号線との交差部に対応して行列状に配置された複数の発光素子および複数の画素回路とを含んでいる。信号線駆動回路は、映像信号に対応する階調補完電圧と、固定値の移動度補正電圧と、映像信号に対応する信号電圧とをこの順に各信号線に印加して、選択対象の画素回路への書き込みを行うようになっている。走査線駆動回路は、複数の走査線に選択パルスを順次印加して、複数の発光素子および複数の画素回路を順次選択するようになっている。走査線駆動回路は、さらに、信号線駆動回路が複数の信号線に移動度補正電圧を印加している期間内に、一の走査線に選択パルスを印加するようになっている。
【００１２】
本発明の電子機器は、上記表示装置を備えたものである。
【００１３】
本発明の表示装置の駆動方法は、以下の２つのステップを含むものである。
（Ａ）以下の構成を備えた表示装置を用意するステップ
（Ｂ）走査線駆動回路を用いて、信号線駆動回路が複数の信号線に移動度補正電圧を印加している期間内に、一の走査線に選択パルスを印加するステップ
【００１４】
上記駆動方法が用いられる表示装置は、画素回路アレイ部と、走査線駆動回路と、信号線駆動回路とを備えたものである。画素回路アレイ部は、行状に配置された複数の走査線と、列状に配置された複数の信号線と、各走査線と各信号線との交差部に対応して行列状に配置された複数の発光素子および複数の画素回路とを含んでいる。走査線駆動回路は、複数の走査線に選択パルスを順次印加して、複数の発光素子および複数の画素回路を順次選択するようになっている。信号線駆動回路は、映像信号に対応する階調補完電圧と、固定値の移動度補正電圧と、映像信号に対応する信号電圧とをこの順に各信号線に印加して、選択対象の画素回路への書き込みを行うようになっている。
【００１５】
本発明の表示装置およびその駆動方法ならびに電子機器では、信号線駆動回路が複数の信号線に移動度補正電圧を印加している期間内に、一の走査線に選択パルスが印加される。これにより、信号電圧の大きさに依らずに画素回路の移動度を補正することができる。
【発明の効果】
【００１６】
本発明の表示装置およびその駆動方法ならびに電子機器によれば、信号電圧の大きさに依らずに画素回路の移動度を補正することができるようにした。これにより、信号書き込みを２回に分けて行う際に、低階調の画質を向上させることができる。
【図面の簡単な説明】
【００１７】
【図１】本発明の一実施の形態に係る表示装置の一例を表す構成図である。
【図２】図１の画素回路アレイ部の内部構成の一例を表す構成図である。
【図３】図１の表示装置のライン動作の一例について説明するための波形図である。
【図４】比較例に係る表示装置の動作の一例について説明するための波形図である。
【図５】上記実施の形態の表示装置を含むモジュールの概略構成を表す平面図である。
【図６】上記実施の形態の表示装置の適用例１の外観を表す斜視図である。
【図７】（Ａ）は適用例２の表側から見た外観を表す斜視図であり、（Ｂ）は裏側から見た外観を表す斜視図である。
【図８】適用例３の外観を表す斜視図である。
【図９】適用例４の外観を表す斜視図である。
【図１０】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１８】
以下、発明を実施するための形態について、図面を参照して詳細に説明する。なお、説明は以下の順序で行う。
１．実施の形態
１．１  表示装置の概略構成
１．２  表示装置の動作
１．３  作用・効果
２．モジュールおよび適用例
【００１９】
＜１．実施の形態＞
（１．１  表示装置の概略構成）
図１は、本発明の一実施の形態に係る表示装置１の概略構成を表したものである。この表示装置１は、表示パネル１０と、駆動回路２０とを備えている。表示パネル１０は、例えば、複数の有機ＥＬ素子１１Ｒ，１１Ｇ，１１Ｂ（発光素子）がマトリクス状に配置された画素回路アレイ部１３を有している。本実施の形態では、例えば、互いに隣り合う３つの有機ＥＬ素子１１Ｒ，１１Ｇ，１１Ｂが１つの画素１２を構成している。なお、以下では、有機ＥＬ素子１１Ｒ，１１Ｇ，１１Ｂの総称として有機ＥＬ素子１１を適宜、用いるものとする。駆動回路２０は、画素回路アレイ部１３を駆動するものであり、例えば、映像信号処理回路２１、タイミング生成回路２２、信号線駆動回路２３、走査線駆動回路２４および電源線駆動回路２５を有している。
【００２０】
［画素回路アレイ部］
図２は、画素回路アレイ部１３の回路構成の一例を表したものである。画素回路アレイ部１３は、表示パネル１０の表示領域に形成されている。画素回路アレイ部１３は、例えば、図１、図２に示したように、行状に配置された複数の走査線ＷＳＬと、列状に配置された複数の信号線ＤＴＬと、走査線ＷＳＬに沿って行状に配置された複数の電源線ＰＳＬとを有している。各走査線ＷＳＬと各信号線ＤＴＬとの交差部に対応して、複数の有機ＥＬ素子１１および画素回路１４が行列状に配置（２次元配置）されている。画素回路１４は、例えば、駆動トランジスタＴｒ1、書き込みトランジスタＴｒ2および保持容量Ｃsによって構成されたものであり、２Ｔｒ１Ｃの回路構成となっている。駆動トランジスタＴｒ1および書き込みトランジスタＴｒ2は、例えば、ｎチャネルＭＯＳ型の薄膜トランジスタ（ＴＦＴ（Thin Film Transistor））により形成されている。なお、ＴＦＴの種類は特に限定されるものではなく、例えば、逆スタガー構造（いわゆるボトムゲート型）であってもよいし、スタガー構造（トップゲート型）であってもよい。また、駆動トランジスタＴｒ1または書き込みトランジスタＴｒ2は、ｐチャネルＭＯＳ型のＴＦＴであってもよい。
【００２１】
画素回路アレイ部１３において、各信号線ＤＴＬは、信号線駆動回路２３の出力端（図示せず）と、書き込みトランジスタＴｒ2のドレイン電極（図示せず）に接続されている。各走査線ＷＳＬは、走査線駆動回路２４の出力端（図示せず）と、書き込みトランジスタＴｒ2のゲート電極（図示せず）に接続されている。各電源線ＰＳＬは、電源線駆動回路２５の出力端（図示せず）と、駆動トランジスタＴｒ1のドレイン電極（図示せず）に接続されている。書き込みトランジスタＴｒ2のソース電極（図示せず）は、駆動トランジスタＴｒ1のゲート電極（図示せず）と、保持容量Ｃsの一端に接続されている。駆動トランジスタＴｒ1のソース電極（図示せず）と保持容量Ｃsの他端とが、有機ＥＬ素子１１のアノード電極（図示せず）に接続されている。有機ＥＬ素子１１のカソード電極（図示せず）は、例えばグラウンド線ＧＮＤに接続されている。なお、カソード電極は、各有機ＥＬ素子１１の共通電極として用いられており、例えば、表示パネル１０の表示領域全体に渡って連続して形成され、平板状となっている。
【００２２】
［駆動回路］
次に、画素回路アレイ部１３の周辺に設けられた駆動回路２０内の各回路について、図１を参照して説明する。映像信号処理回路２１は、外部から入力されたデジタルの映像信号２０Ａに対して所定の補正を行うと共に、補正した後の映像信号を信号線駆動回路２３に出力するものである。所定の補正としては、例えば、ガンマ補正や、オーバードライブ補正などが挙げられる。タイミング生成回路２２は、信号線駆動回路２３、走査線駆動回路２４および電源線駆動回路２５が連動して動作するように制御するものである。タイミング生成回路２２は、例えば、外部から入力された同期信号２０Ｂに応じて（同期して）、これらの回路に対して制御信号２２Ａを出力するようになっている。
【００２３】
信号線駆動回路２３は、制御信号２２Ａの入力に応じて（同期して）、映像信号処理回路２１から入力された映像信号２０Ａに対応するアナログの映像信号を、各信号線ＤＴＬに印加して、アナログの映像信号またはそれに対応する信号を選択対象の画素回路１４に書き込むものである。具体的には、信号線駆動回路２３は、映像信号２０Ａに対応する階調補完電圧Ｖsig1と、固定値の移動度補正電圧Ｖofs2と、映像信号に対応する信号電圧Ｖsig2とをこの順に各信号線ＤＴＬに印加して、選択対象の画素回路１４への書き込みを行うものである。なお、書き込みとは、駆動トランジスタＴｒ1のゲート−ソース間に所定の電圧を印加することを指している。信号線駆動回路２３は、例えば、信号電圧Ｖsig2および階調補完電圧Ｖsig1と、有機ＥＬ素子１１の消光時に駆動トランジスタＴｒ1のゲートに印加する電圧Ｖofs1および移動度補正電圧Ｖofs2とを出力することが可能となっている。ここで、階調補完電圧Ｖsig1は、信号電圧Ｖsig2と所定の関係にあり、例えば、信号電圧Ｖsig2以下の電圧値となっている。また、電圧Ｖofs1は、駆動トランジスタＴｒ1の閾値電圧をＶthとすると、(Ｖofs1-Ｖth)が有機ＥＬ素子１１の閾値電圧Ｖelとカソード電圧Ｖcaを足し合わせた電圧（Ｖel＋Ｖca）よりも低い電圧値（一定値）となるように設定されている。電圧Ｖofs2は、駆動トランジスタＴｒ1の移動度を補正する際に用いられる電圧である。電圧Ｖofs2は階調補完書き込みにおけるソース電位の上昇をΔＶ1、移動度補正におけるソース電位の上昇をΔＶ2とすると、(Ｖofs1-Ｖth＋ΔＶ1＋ΔＶ2)が電圧（Ｖel＋Ｖca）よりも低い電圧値（一定値）となるように設定されている。
【００２４】
走査線駆動回路２４は、制御信号２２Ａの入力に応じて（同期して）、複数の走査線ＷＳＬに選択パルスを順次印加して、複数の有機ＥＬ素子１１および複数の画素回路１４を順次選択するものである。走査線駆動回路２４は、例えば、書き込みトランジスタＴｒ2をオンさせるときに印加する電圧Ｖonと、書き込みトランジスタＴｒ2をオフさせるときに印加する電圧Ｖoffとを出力することが可能となっている。ここで、電圧Ｖonは、書き込みトランジスタＴｒ2のオン電圧以上の値（一定値）となっている。電圧Ｖoffは、書き込みトランジスタＴｒ2のオン電圧よりも低い値（一定値）となっている。
【００２５】
電源線駆動回路２５は、制御信号２２Ａの入力に応じて（同期して）、複数の電源線ＰＳＬに制御パルスを順次印加して、有機ＥＬ素子１１の発光および消光を制御するものである。電源線駆動回路２５は、例えば、駆動トランジスタＴｒ1に電流を流すときに印加する電圧ＶccHと、駆動トランジスタＴｒ1に電流を流さないときに印加する電圧ＶccLとを出力することが可能となっている。ここで、電圧ＶccLは、有機ＥＬ素子１１の閾値電圧Ｖelと、有機ＥＬ素子１１のカソードの電圧Ｖcaとを足し合わせた電圧（Ｖel＋Ｖca）よりも低い電圧値（一定値）である。ＶccHは、電圧（Ｖel＋Ｖca）以上の電圧値（一定値）である。
【００２６】
（１．２  表示装置の動作）
図３は、表示装置１を駆動させたときの各種波形の一例を表したものである。図３（Ａ）〜（Ｃ）には、信号線ＤＴＬにＶofs1、Ｖsig1、Ｖofs2、Ｖsig2が周期的に印加され、電源線ＰＳＬにＶccL、ＶccHが所定のタイミングで印加され、走査線ＷＳＬにＶon、Ｖoffが所定のタイミングで印加されている様子が示されている。図３（Ｄ），（Ｅ）には、信号線ＤＴＬ、走査線ＷＳＬおよび電源線ＰＳＬへの電圧印加に応じて、駆動トランジスタＴｒ1のゲート電圧Ｖgおよびソース電圧Ｖsが時々刻々変化している様子が示されている。
【００２７】
［Ｖth補正準備期間］
まず、Ｖth補正の準備を行う。具体的には、電源線駆動回路２５が電源線ＰＳＬの電圧をＶccHからＶccLに下げる（Ｔ1）。すると、ソース電圧ＶsがＶccLとなり、有機ＥＬ素子１１が消光すると共に、ゲート電圧Ｖgは発光時のＶgsをＶgs0とすると（ＶccL＋Ｖgs0）となる。次に、信号線ＤＴＬの電圧がＶofs1となっており、かつ電源線ＰＳＬの電圧がＶccLとなっている間に、走査線駆動回路２４が走査線ＷＳＬの電圧をＶoffからＶonに上げる。
【００２８】
［最初のＶth補正期間］
次に、Ｖthの補正を行う。具体的には、信号線ＤＴＬの電圧がＶofs1となっている間に、電源線駆動回路２５が電源線ＰＳＬの電圧をＶccLからＶccHに上げる（Ｔ2）。すると、駆動トランジスタＴｒ1のドレイン−ソース間に電流Ｉdが流れ、ソース電圧Ｖsが上昇する。その後、信号線駆動回路２３が信号線ＤＴＬの電圧をＶofs1からＶsig1に切り替える前に、走査線駆動回路２４が走査線ＷＳＬの電圧をＶonからＶoffに下げる（Ｔ3）。すると、駆動トランジスタＴｒ1のゲートがフローティングとなり、Ｖthの補正が一旦停止する。
【００２９】
［最初の休止期間］
Ｖth補正が休止している期間中は、先のＶth補正を行った行（画素）とは異なる他の行（画素）において、信号線ＤＴＬの電圧のサンプリングが行われる。なお、Ｖth補正が不十分である場合、すなわち、駆動トランジスタＴｒ1のゲート−ソース間の電位差Ｖgsが駆動トランジスタＴｒ1の閾値電圧Ｖthよりも大きい場合には、以下のようになる。Ｖth補正休止期間中にも、先のＶth補正を行った行（画素）において、駆動トランジスタＴｒ1のドレイン−ソース間に電流Ｉdが流れ、ソース電圧Ｖsが上昇し、保持容量Ｃsを介したカップリングによりゲート電圧Ｖgも上昇する。
【００３０】
［２回目のＶth補正期間］
Ｖth補正休止期間が終了した後、Ｖthの補正を再び行う。具体的には、信号線ＤＴＬの電圧がＶofs1となっており、Ｖth補正が可能となっている時に、走査線駆動回路２４が走査線ＷＳＬの電圧をＶoffからＶonに上げ（Ｔ4）、駆動トランジスタＴｒ1のゲートを信号線ＤＴＬに接続する。このとき、ソース電圧Ｖsが（Ｖofs1−Ｖth）よりも低い場合（Ｖth補正がまだ完了していない場合）には、駆動トランジスタＴｒ1がカットオフするまで（電位差ＶgsがＶthになるまで）、駆動トランジスタＴｒ1のドレイン−ソース間に電流Ｉdが流れる。その結果、保持容量ＣsがＶthに充電され、電位差ＶgsがＶthとなる。その後、信号線駆動回路２３が信号線ＤＴＬの電圧をＶofs1からＶsig1に切り替える前に、走査線駆動回路２４が走査線ＷＳＬの電圧をＶonからＶoffに下げる（Ｔ5）。すると、駆動トランジスタＴｒ1のゲートがフローティングとなるので、電位差Ｖgsを信号線ＤＴＬの電圧の大きさに拘わらずＶthのままで維持することができる。このように、電位差ＶgsをＶthに設定することにより、駆動トランジスタＴｒ1の閾値電圧Ｖthが画素回路１４ごとにばらついた場合であっても、有機ＥＬ素子１１の発光輝度がばらつくのをなくすことができる。
【００３１】
［２回目の休止期間］
その後、Ｖth補正の休止期間中に、信号線駆動回路２３が信号線ＤＴＬの電圧をＶofsからＶsig1に切り替える。
【００３２】
［階調補完書き込み期間］
Ｖth補正休止期間が終了した後、階調補完書き込みを行う。具体的には、信号線ＤＴＬの電圧がＶsig1となっている間に、走査線駆動回路２４が走査線ＷＳＬの電圧をＶoffからＶonに上げ（Ｔ6）、駆動トランジスタＴｒ1のゲートを信号線ＤＴＬに接続する。すると、駆動トランジスタＴｒ1のゲート電圧がＶsig1となる。このとき、有機ＥＬ素子１１のアノード電圧はこの段階ではまだ有機ＥＬ素子１１の閾値電圧Ｖelとカソード電圧Ｖcaを足し合わせた電圧（Ｖel＋Ｖca）よりも小さく、有機ＥＬ素子１１はカットオフしている。そのため、電流Ｉdは有機ＥＬ素子１１の素子容量（図示せず）に流れ、素子容量が充電されるので、ソース電圧ＶsがΔＶ1だけ上昇し、やがて電位差ＶgsがＶsig1＋Ｖth−ΔＶ1となる。このようにして、階調補完書き込みと同時に移動度補正が行われる。
【００３３】
［１回目のブートストラップ期間］
次に、走査線駆動回路２４が走査線ＷＳＬの電圧をＶonからＶoffに下げる（Ｔ7）。すると、駆動トランジスタＴｒ1のゲートがフローティングとなり、駆動トランジスタＴｒ1のゲート−ソース間の電圧Ｖgsを一定に維持した状態で、駆動トランジスタＴｒ1のドレイン−ソース間に電流Ｉdが流れる。その結果、ソース電圧Ｖsが上昇し、それに連動して駆動トランジスタＴｒ1のゲートも上昇する。
【００３４】
［移動度補正期間］
ブートストラップ動作が始まったら、直ちに、信号線駆動回路２３が信号線ＤＴＬの電圧をＶsig1からＶofs2に切り替える。さらに、続けて、走査線駆動回路２４が走査線ＷＳＬの電圧をＶoffからＶonに上げ（Ｔ8）、駆動トランジスタＴｒ1のゲートを信号線ＤＴＬに接続する。すると、駆動トランジスタＴｒ1のゲート電圧がＶofs2となり、ブートストラップ動作が停止する。このとき、有機ＥＬ素子１１のアノード電圧はこの段階ではまだ電圧（Ｖel＋Ｖca）よりも小さく、有機ＥＬ素子１１はカットオフしている。そのため、電流Ｉdは有機ＥＬ素子１１の素子容量（図示せず）に流れ、素子容量が充電されるので、ソース電圧ＶsがΔＶ2だけ上昇し、やがて電位差ＶgsがＶofs2＋Ｖth−ΔＶ1−ΔＶ2となる。このようにして、信号電圧Ｖsig2の書込みとは別個に（独立して）移動度補正が行われる。
【００３５】
［２回目のブートストラップ期間］
次に、走査線駆動回路２４が走査線ＷＳＬの電圧をＶonからＶoffに下げる（Ｔ9）。すると、駆動トランジスタＴｒ1のゲートがフローティングとなり、駆動トランジスタＴｒ1のゲート−ソース間の電圧Ｖgsを一定に維持した状態で、駆動トランジスタＴｒ1のドレイン−ソース間に電流Ｉdが流れる。その結果、ソース電圧Ｖsが上昇し、それに連動して駆動トランジスタＴｒ1のゲートも上昇する。
【００３６】
［書き込み期間］
ブートストラップ動作が始まったら、直ちに、信号線駆動回路２３が信号線ＤＴＬの電圧をＶofs2からＶsig2に切り替える。さらに、続けて、走査線駆動回路２４が走査線ＷＳＬの電圧をＶoffからＶonに上げ（Ｔ10）、駆動トランジスタＴｒ1のゲートを信号線ＤＴＬに接続する。すると、駆動トランジスタＴｒ1のゲート電圧がＶsig2となり、ブートストラップ動作が停止する。このとき、有機ＥＬ素子１１のアノード電圧はこの段階でも電圧（Ｖel＋Ｖca）よりも小さく、有機ＥＬ素子１１はカットオフしている。そのため、電流Ｉdは有機ＥＬ素子１１の素子容量（図示せず）に流れ、素子容量が充電されるので、ソース電圧ＶsがΔＶ3だけ上昇し、やがて電位差ＶgsがＶsig2＋Ｖth−ΔＶ1−ΔＶ2−ΔＶ3となる。このようにして、信号電圧Ｖsig2の書込みが行われる。
【００３７】
［発光期間］
次に、走査線駆動回路２４が走査線ＷＳＬの電圧をＶonからＶoffに下げる（Ｔ11）。すると、駆動トランジスタＴｒ1のゲートがフローティングとなり、駆動トランジスタＴｒ1のゲート−ソース間の電圧Ｖgsを一定に維持した状態で、駆動トランジスタＴｒ1のドレイン−ソース間に電流Ｉdが流れる。その結果、ソース電圧Ｖsが上昇し、それに連動して駆動トランジスタＴｒ1のゲートも上昇し、有機ＥＬ素子１１が所望の輝度で発光する。
【００３８】
［繰り返し］
次に、所定の期間が経過したのち、発光期間を終了する。具体的には、電源線駆動回路２５が電源線ＰＳＬの電圧をＶccHからＶccLに下げる（Ｔ1）。すると、ソース電圧ＶsがＶccLとなり、有機ＥＬ素子１１が消光する。その後、上述した各期間に対応した駆動を実行する。このようにして、駆動回路２０は、発光期間、消光期間（Ｖth補正準備期間〜書き込み期間）をフレーム期間ごとに繰り返すと共に、例えば１水平ラインごとに行方向にスキャンする。
【００３９】
本実施の形態の表示装置１では、上記のようにして、各画素１２において画素回路１４がオンオフ制御され、各画素１２の有機ＥＬ素子１１に駆動電流が注入されることにより、正孔と電子とが再結合して発光が起こる。この光は、陽極と陰極との間で多重反射し、陰極等を透過して外部に取り出される。その結果、表示パネル１０において画像が表示される。
【００４０】
（１．３  作用・効果）
ところで、本実施の形態では、階調補完書き込みを行ったのち、ブートストラップ動作が始まったら、ブートストラップ動作が直ちに停止され、移動度補正が開始される。例えば、信号線ＤＴＬの電圧がＶsig1となっており、かつ電源線ＰＳＬの電圧がＶccHとなっているときに、走査線ＷＳＬの電圧がＶonからＶoffに下げられたら、直ちに、信号線ＤＴＬの電圧がＶsig1からＶofs2に切り替えられ、さらに、走査線ＷＳＬの電圧がＶoffからＶonに上げられる。
【００４１】
さらに、本実施の形態では、移動度補正が終了したのち、ブートストラップ動作が始まったら、ブートストラップ動作が直ちに停止され、信号電圧の書込みが行われる。例えば、信号線ＤＴＬの電圧がＶofs2となっており、かつ電源線ＰＳＬの電圧がＶccHとなっているときに、走査線ＷＳＬの電圧がＶonからＶoffに下げられたら、直ちに、信号線ＤＴＬの電圧がＶofs2からＶsig2に切り替えられ、さらに、走査線ＷＳＬの電圧がＶonからＶoffに下げられる。
【００４２】
このように、本実施の形態では、２回目の信号書込みを行う前に、移動度補正を行うようにした。これにより、例えば、階調補完書き込みを行ったのち、ブートストラップ動作が始まっても、ブートストラップ動作を停止させず、そのまま、移動度補正と書き込みを同時に行った場合（図４参照）と比べて、移動度補正を確実に行うことができる。従って、例えば、２回目の信号電圧Ｖsig2の値が小さい場であっても、２回目の信号電圧Ｖsig2の値とは無関係に、移動度補正を確実に行うことができるので、低階調の画質を向上させることができる。
【００４３】
＜２．モジュールおよび適用例＞
以下、上述した実施の形態で説明した表示装置の適用例について説明する。上記実施の形態の表示装置は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００４４】
（モジュール）
上記実施の形態の表示装置１は、例えば、図５に示したようなモジュールとして、後述する適用例１〜５などの種々の電子機器に組み込まれる。このモジュールは、例えば、基板３１の一辺に、封止用基板３２から露出した領域２１０を設け、この露出した領域２１０に、駆動回路２０の配線を延長して外部接続端子（図示せず）を形成したものである。外部接続端子には、信号の入出力のためのフレキシブルプリント配線基板（ＦＰＣ；Flexible Printed Circuit）２２０が設けられていてもよい。
【００４５】
（適用例１）
図６は、上記実施の形態の表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、上記各実施の形態に係る表示装置１により構成されている。
【００４６】
（適用例２）
図７は、上記実施の形態の表示装置１が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、上記実施の形態に係る表示装置１により構成されている。
【００４７】
（適用例３）
図８は、上記実施の形態の表示装置１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、上記各実施の形態に係る表示装置１により構成されている。
【００４８】
（適用例４）
図９は、上記実施の形態の表示装置１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、上記各実施の形態に係る表示装置１により構成されている。
【００４９】
（適用例５）
図１０は、上記実施の形態の表示装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記各実施の形態に係る表示装置１により構成されている。
【００５０】
以上、実施の形態および適用例を挙げて本発明を説明したが、本発明は上記実施の形態等に限定されるものではなく、種々変形が可能である。
【００５１】
例えば、上記実施の形態等では、表示装置１がアクティブマトリクス型である場合について説明したが、アクティブマトリクス駆動のための画素回路１４の構成は上記実施の形態等で説明したものに限られず、必要に応じて容量素子やトランジスタを画素回路１４に追加してもよい。その場合、画素回路１４の変更に応じて、上述した信号線駆動回路２３、走査線駆動回路２４、電源線駆動回路２５のほかに、必要な駆動回路を追加してもよい。
【００５２】
また、上記実施の形態等では、信号線駆動回路２３、走査線駆動回路２４、電源線駆動回路２５の駆動をタイミング生成回路２２が制御していたが、他の回路がこれらの駆動を制御するようにしてもよい。また、信号線駆動回路２３、走査線駆動回路２４、電源線駆動回路２５の制御は、ハードウェア（回路）で行われていてもよいし、ソフトウェア（プログラム）で行われていてもよい。
【００５３】
また、上記実施の形態等では、画素回路１４が、２Ｔｒ１Ｃの回路構成となっていたが、トランジスタが有機ＥＬ素子１１に直列に接続された回路構成を含んでいるものであれば、２Ｔｒ１Ｃの回路構成以外の回路構成となっていてもよい。
【００５４】
また、上記実施の形態等では、駆動トランジスタＴｒ1，書き込みトランジスタＴｒ2は、ｎチャネルＭＯＳ型の薄膜トランジスタ（ＴＦＴ（Thin Film Transistor））により形成されている場合が例示されていたが、ｐチャネルトランジスタ（例えばｐチャネルＭＯＳ型のＴＦＴ）により形成されていてもよい。ただし、その場合には、トランジスタＴｒ2のソースおよびドレインのうち電源線ＰＳＬと未接続の方と保持容量Ｃsの他端とを有機ＥＬ素子１１のカソードに接続し、有機ＥＬ素子１１のアノードをＧＮＤなどに接続することが好ましい。
【符号の説明】
【００５５】
１…表示装置、１０…表示パネル、１１，１１Ｒ，１１Ｇ，１１Ｂ…有機ＥＬ素子、１２…画素、１３…画素回路アレイ部、１４…画素回路、２０…駆動回路、２０Ａ…映像信号、２０Ｂ…同期信号、２１…映像信号処理回路、２２…タイミング生成回路、２２Ａ…制御信号、２３…信号線駆動回路、２４…走査線駆動回路、２５…電源線駆動回路、Ｃs…保持容量、ＤＴＬ…信号線、Ｉd…電流、ＰＳＬ…電源線、Ｔｒ1…駆動トランジスタ、Ｔｒ2…書き込みトランジスタ、Ｖg…ゲート電圧、Ｖgs…ゲート−ソース間電圧、Ｖs…ソース電圧、Ｖth…閾値電圧、ＷＳＬ…走査線。
【図１】
2011022342.tif 000003
【図２】
2011022342.tif 000004
【図３】
2011022342.tif 000005
【図４】
2011022342.tif 000006
【図５】
2011022342.tif 000007
【図６】
2011022342.tif 000008
【図７】
2011022342.tif 000009
【図８】
2011022342.tif 000010
【図９】
2011022342.tif 000011
【図１０】
2011022342.tif 000012